(57)【要約】      （修正有）【課題】筐体の加工などを必要とせず、かつ、薄型化を損なわずにＧＰＳアンテナを含む各種電子部品を効率的に実装する。【解決手段】電子機器は、表示パネル１２の上面を覆う透明ガラス１３の下に、表示パネル１２と同一面上に並べてチップ型のＧＰＳアンテナ２４と少なくとも１つ以上の電子部品が実装される。透明ガラス１３のＧＰＳアンテナ２４と電子部品と対向する面には、ＧＰＳアンテナ２４と電子部品の映り込みを防止するためのマスク部２６ａが設けられる。【選択図】図２
2015224918.tif 000002
【特許請求の範囲】
【請求項１】
表示パネルの上面を覆う透明ガラスの下に、上記表示パネルと同一面上に並べてチップ型のＧＰＳアンテナと少なくとも１つ以上の電子部品が実装され、
上記透明ガラスの上記ＧＰＳアンテナと上記電子部品と対向する面には、上記ＧＰＳアンテナと上記電子部品の映り込みを防止するためのマスク部が設けられている電子機器。
【請求項２】
上記表示パネルは、矩形状の表示画面を有し、
上記ＧＰＳアンテナと上記電子部品は、上記矩形状の表示画面の一端部の外側に配置されている請求項１記載の電子機器。
【請求項３】
上記表示パネルは、矩形状の表示画面を有し、
上記ＧＰＳアンテナは、上記矩形状の表示画面の一端部の外側に配置され、
上記電子部品は、上記矩形状の表示画面の他端部の外側に配置されている請求項１記載の電子機器。
【請求項４】
上記表示パネルは、円形状の表示画面を有し、
上記ＧＰＳアンテナと上記電子部品は、上記円形状の表示画面の円周部の外側に配置されている請求項１記載の電子機器。
【請求項５】
上記表示パネルは、反射型液晶パネルである請求項１記載の電子機器。
【請求項６】
上記電子部品は、上記反射型液晶パネルを照らす発光素子である請求項５記載の電子機器。
【発明の詳細な説明】
【技術分野】
【０００１】
本発明の実施形態は、持ち運び可能な小型の電子機器に関する。
【背景技術】
【０００２】
近年、電子技術の進展により、小型で軽量な様々な電子機器が普及している。幾つかの代表的な電子機器としては、タブレット、スマートフォン、ＰＤＡ（Personal Digital Assistants）などがある。
【０００３】
また、最近では、常に身につけて利用することが可能なより小型の電子機器も開発され始めている。インテリジェントウォッチ（スマートウォッチ）は、ユーザの腕に付けた状態で時計機能を含む各種機能を実行することができる。今後、このような小型の電子機器はユーザの生活に密着した様々な用途に利用されることが期待されている。
【０００４】
この種の電子機器では、省電力で長時間駆動を行うために、薄型で光源を持たない反射型の表示装置（反射型液晶パネル）が一般的に用いられる。その際、夜間などの暗い場所で画面を確認するために、外部光源としてＬＥＤ（light emitting diode）を備える。
【０００５】
さらに、近年では、現在位置の確認や時刻補正のために、ＧＰＳ（Global Positioning System）モジュールを備える機器が一般的である。
【先行技術文献】
【特許文献】
【０００６】
【特許文献１】特開２００７−１２４０１１号公報
【発明の概要】
【発明が解決しようとする課題】
【０００７】
電子機器にＧＰＳモジュールを備える場合に、ＧＰＳの電波を受信するためのアンテナの配置が重要となる。金属製の筐体を備えた電子機器では、筐体内にアンテナを配置すると、電波の受信精度が悪くなる。このため、例えば筐体の一部に電波受信用の開口部を設け、その下にアンテナを配置するなどの加工が必要となり、実装効率が悪くなる。
【０００８】
本発明が解決しようとする課題は、筐体の加工などを必要とせず、かつ、薄型化を損なわずにＧＰＳアンテナを含む各種電子部品を効率的に実装することのできる電子機器を提供することである。
【課題を解決するための手段】
【０００９】
一実施形態に係る電子機器は、表示パネルの上面を覆う透明ガラスの下に、上記表示パネルと同一面上に並べてチップ型のＧＰＳアンテナと少なくとも１つ以上の電子部品が実装される。上記透明ガラスの上記ＧＰＳアンテナと上記電子部品と対向する面には、上記ＧＰＳアンテナと上記電子部品の映り込みを防止するためのマスク部が設けられる。
【図面の簡単な説明】
【００１０】
【図１】図１は第１の実施形態に係るインテリジェントウォッチの外観を示す斜視図である。
【図２】図２は第１の実施形態における電子部品の実装構造を模式的に示した図であり、ディスプレイと透明ガラスを側面から見た状態を示している。
【図３】図３は第１の実施形態におけるインテリジェントウォッチの透明ガラスを取り除いた状態でディスプレイを上から見た状態を示している。
【図４】図４は第１の実施形態におけるインテリジェントウォッチの透明ガラスを通してディスプレイの表示画面を見た場合の図である。
【図５】図５は第１の実施形態におけるインテリジェントウォッチのシステム構成を示すブロック図である。
【図６】図６は第２の実施形態におけるインテリジェントウォッチのディスプレイと透明ガラスを側面から見た状態を示す図である。
【図７】図７は第２の実施形態におけるインテリジェントウォッチの透明ガラスを取り除いた状態でディスプレイを上から見た状態を示す図である。
【図８】図８は第３の実施形態におけるインテリジェントウォッチのディスプレイと透明ガラスを側面から見た状態を示す図である。
【図９】図９は第３の実施形態におけるインテリジェントウォッチの透明ガラスを取り除いた状態でディスプレイを上から見た状態を示す図である。
【図１０】図１０は第４の実施形態に係るインテリジェントウォッチの外観を示す斜視図である。
【発明を実施するための形態】
【００１１】
以下、図面を参照して実施形態を説明する。
【００１２】
（第１の実施形態）
図１は第１の実施形態に係る電子機器の外観を示す斜視図である。この電子機器は、ディスプレイを備えた携帯型電子機器である。以下では、この電子機器が、腕時計機能を含む様々な機能を実行可能なインテリジェントウォッチ（スマートウォッチ）として実現されている場合を想定する。
【００１３】
インテリジェントウォッチ１０は、バッテリ駆動可能な小型サイズのコンピューティングデバイスである。図１の例では、矩形状のディスプレイを有するインテリジェントウォッチ１０が示されている。
【００１４】
インテリジェントウォッチ１０は、時計本体を構成する金属製の筐体１１を備え、その中に様々な電子部品を内蔵している。筐体１１の上面の一部は矩形状に開口され、そこに矩形状のディスプレイ１２が組み込まれている。ディスプレイ１２は、外光の反射によって表示を行う反射型液晶パネルである。ディスプレイ１２の表面画面上には、ディスプレイ１２よりもサイズの大きい矩形状の透明ガラス３３が設けられている。透明ガラス１３は、ディスプレイ１２の表示画面を覆うカバー部材として用いられる。
【００１５】
筐体１１の両端には、ユーザの手首にインテリジェントウォッチ１０を装着するためのベルト１４ａ，１４ｂが設けられている。ベルト１４ａの一端は、取り付け部１５ａによって筐体１１の一端に取り付けられている。ベルト１４ｂの一端は、取り付け部１５ｂによって筐体１１の他端に取り付けられている。
【００１６】
また、筐体１１の一側面には、幾つかの操作ボタンが設けられている。ここでは、３つの操作ボタン１６，１７，１８が筐体１１の右側面に設けられている例が示されている。これらの操作ボタン１６，１７，１８は、表示画面の切り替えなどに用いられる。なお、操作ボタン１７は、時計のリューズであってもよい。
【００１７】
次に、インテリジェントウォッチ１０に用いられる電子部品の実装構造について説明する。
【００１８】
図２および図３は第１の実施形態における電子部品の実装構造を模式的に示した図である。図２はインテリジェントウォッチ１０のディスプレイ１２と透明ガラス１３を側面から見た状態を示している。図３はインテリジェントウォッチ１０の透明ガラス１３を取り除いた状態でディスプレイ１２を上から見た状態を示している。
【００１９】
ディスプレイ１２は、筐体１１内に設けられたメイン基板２１上に実装されている。このメイン基板２１の上面に接着剤２２を介して透明ガラス１３が設けられている。透明ガラス１３は、ディスプレイ１２よりも大きなサイズを有する。ディスプレイ１２は、反射型液晶パネルからなり、表示画面上には図示せぬタッチセンサが配設されている。
【００２０】
メイン基板２１の裏側には、例えば図示せぬＣＰＵやメモリなどを含む各種電子部品が実装されている。このメイン基板２１とは別にサブ基板２３が筐体１１内に設けられている。サブ基板２３は、ディスプレイ１２の表示画面の一端部１２ａの外側に設けられている。このサブ基板２３は、フレキシブルケーブル２７を介してメイン基板２１と電気的に接続されており、その上にチップ型のＧＰＳアンテナ２４と複数個（ここでは２個）のＬＥＤ（light emitting diode）２５ａ，２５ｂが実装されている。
【００２１】
ＧＰＳアンテナ２４は、ＧＰＳの電波を受信するためのチップ型アンテナである。なお、このＧＰＳアンテナ２４は、図示せぬ受信機器を含めて１チップで構成されていても良い。ＬＥＤ２５ａ，２５ｂは、発光素子であり、ディスプレイ１２の表示画面を照らすための外部電源として用いられる。ＧＰＳアンテナ２４とＬＥＤ２５ａ，２５ｂは、透明ガラス１３の下でディスプレイ１２と同一面上に並べて実装されている。
【００２２】
図３に示すように、ディスプレイ１２は、矩形状の表示画面を有する。サブ基板２３上のＧＰＳアンテナ２４とＬＥＤ２５ａ，２５ｂは、表示画面の一端部１２ａの外側に一列に並べて配置されている。このうち、ＧＰＳアンテナ２４は、表示画面の一端部１２ａの中央付近に配置されている。ＬＥＤ２５ａ，２５ｂは、表示画面の一端部１２ａの両側付近に配置されている。
【００２３】
なお、ここでは２つのＬＥＤ２５ａ，２５ｂを配置した例を示しているが、ＬＥＤの個数は特に限定されるものではなく、ディスプレイ１２の外部光源として少なくとも１個配置すれば良い。
【００２４】
透明ガラス１３のＧＰＳアンテナ２４とＬＥＤ２５ａ，２５ｂとの対向面には、所定の幅を有する黒い帯状のマスク部２６ａが印刷あるいは蒸着により設けられている。図２の例では、矩形状の透明ガラス１３の裏面の一端側にマスク部２６ａが設けられている。このマスク部２６ａは、透明ガラス１３の下にあるＧＰＳアンテナ２４とＬＥＤ２５ａ，２５ｂの映り込みを防ぐためのものである。また、このマスク部２６ａは遮光性を有しており、ＬＥＤ２５ａ，２５ｂの光が透過することも防いでいる。
【００２５】
なお、透明ガラス１３の表面にマスク部２６ａを設けておくとユーザが触れるなどして剥がれやすいため、透明ガラス１３の裏面に設けておくことが好ましい。また、ユーザは透明ガラス１３を通してディスプレイ１２の表示画面を見るため、透明ガラス１３の裏面の他端側にもマスク部２６ａと同様のマスク部２６ｂを対にして設けておくことが美観的に好ましい（図４参照）。
【００２６】
図４はインテリジェントウォッチ１０の透明ガラス１３を通してディスプレイ１２の表示画面を見た場合の図である。この例では、時計の文字盤がディスプレイ１２に表示された状態が示されている。
【００２７】
ディスプレイ１２の表示画面の両側（この例では右側と左側）に黒い帯状のマスク部２６ａ，２６ｂが見える。このマスク部２６ａ，２６ｂは透明ガラス１３に設けられたものである。したがって、ディスプレイ１２の表示画面が切り替わっても、常にマスク部２６ａ，２６ｂはディスプレイ１２の表示画面の両側にあり、ＧＰＳアンテナ２４とＬＥＤ２５ａ，２５ｂをユーザの目から隠している。
【００２８】
図５はインテリジェントウォッチ１０のシステム構成を示すブロック図である。
【００２９】
インテリジェントウォッチ１０は、上述したＧＰＳアンテナ２４とＬＥＤ２５ａ，２５ｂの他に、コントローラ１０１、主メモリ１０３、不揮発性メモリ１０５、無線通信デバイス１０７、加速度センサ１０９、エンベデッドコントローラ（ＥＣ）１１３等を備える。
【００３０】
コントローラ１０１は、腕時計機能を含む種々の機能を実行するように構成されている。このコントローラ１０１は、インテリジェントウォッチ１０内の様々なコンポーネントを制御する。このコントローラ１０１は、ＣＰＵ１０１ａを含む様々な機能モジュールを備えたＳＯＣ（Ｓｙｓｔｅｍ−ｏｎ−ａ−ｃｈｉｐ）によって実現されていても良い。ＣＰＵ１０１ａは、不揮発性メモリ１０５から主メモリ１０３にロードされる様々なプログラムを実行するように構成されたプロセッサ（１以上のコア）として機能する。
【００３１】
これらプログラムは、オペレーティングシステムおよび各種アプリケーション／ユーティリティープログラムを含む。アプリケーション／ユーティリティープログラムには、時計アプリケーションプログラムが含まれている。時計アプリケーションプログラムは腕時計機能を実行するためのプログラムである。さらに、アプリケーション／ユーティリティープログラムには、他の電子機器（例えばスマートフォン）と連携するアプリケーションプログラムが含まれていてもよい。このアプリケーションプログラムは、メールの着信通知、着信メールの内容、といった様々な情報をディスプレイ１２に表示することができる。
【００３２】
無線通信デバイス１０７は、無線で別の電子機器（例えば、スマートフォン）との通信を行うための通信インタフェース部である。無線通信デバイス１０７は、例えば、Ｂｌｕｅｔｏｏｔｈ（登録商標）モジュールであってもよい。コントローラ１０１は、無線通信デバイス１０７を利用して別の電子機器と連携し、これによって様々な情報をディスプレイ１２に表示することができる。
【００３３】
加速度センサ１０９は、インテリジェントウォッチ１０を装着したユーザの動きを検出するために用いられる。
【００３４】
エンベデッドコントローラ（ＥＣ）１１３は、ユーザの操作に応じて、インテリジェントウォッチ１０を電源オンまたは電源オフするための電力管理機能を実行する。
【００３５】
これらの電子部品のうち、少なくともＧＰＳアンテナ２４とＬＥＤ２５ａ，２５ｂはサブ基板２３に実装されており、透明ガラス１３の下でディスプレイ１２と並べて配置されている。
【００３６】
このような構成において、インテリジェントウォッチ１０は、ユーザの手首に装着した状態で様々な機能を利用することができる。例えば腕時計機能を起動すれば、図４に示したような時計の文字盤がディスプレイ１２に表示される。これにより、ユーザの移動中に現在の時刻を確認することができる。
【００３７】
このディスプレイ１２は反射型液晶パネルであり、外光を利用して表示を行っている。このため、夜間などの暗い場所では、ディスプレイ１２の表示画面を確認することができる。そこで、例えば操作ボタン１６．１７．１８のいずれかの操作によりＬＥＤ２５ａ，２５ｂを点灯する。ＬＥＤ２５ａ，２５ｂを点灯すると、これらの光がディスプレイ１２の一端側から照射され、透明ガラス１３を介して表示画面全体に拡散する。
【００３８】
この透明ガラス１３の両側には遮光性を有するマスク部２６ａ，２６ｂが設けられている。したがって、透明ガラス１３の両側から光が漏れることはなく、ディスプレイ１２の表示画面のみが明るく照らされることになる。この場合、図３に示したように、ＬＥＤ２５ａ，２５ｂがディスプレイ１２の表示画面の両側に１個ずつ配置されているので、光むらがなく、表示画面全体を明るく照らすことができる。
【００３９】
なお、ディスプレイ１２の表示画面に光の拡散材を塗布しておくことでも良い。これにより、光むらをさらに抑えて、表示画面全体に均一に明るく照らすことが可能となる。
【００４０】
一方、ＧＰＳアンテナ２４は、現在位置の表示や時計時刻の補正に用いられる。このＧＰＳアンテナ２４もＬＥＤ２５ａ，２５ｂと共に透明ガラス１３の下に配置されている。したがって、ＧＰＳの電波を透明ガラス１３を通して受信することができる。このＧＰＳアンテナ２４はＬＥＤ２５ａ，２５ｂと共にマスク部２６ａによってマスクされているので、時計としての美観を損なうことはない。
【００４１】
このように、ＧＰＳアンテナ２４を透明ガラス１３の下に実装することで、筐体１１に電波受信用の開口部を設けるなどの加工を必要とせずに、電波を受信することができる。これにより、現在位置の表示や時計時刻の補正を正しく行うことができる。
【００４２】
この場合、ＧＰＳアンテナ２４とＬＥＤ２５ａ，２５ｂをディスプレイ１２の表示画面の一端部１２ａの外側に並べて配置することで、ＧＰＳアンテナ２４とＬＥＤ２５ａ，２５ｂを一緒にマスクできる。さらに、ＧＰＳアンテナ２４とＬＥＤ２５ａ，２５ｂをディスプレイ１２の厚み方向に収めることができるので、筐体１１の薄型化を実現できる。
【００４３】
なお、上記第１の実施形態では、メイン基板２１とは別にサブ基板２３を設けたが、メイン基板２１とサブ基板２３が一体化されていても良い。
【００４４】
（第２の実施形態）
次に、第２の実施形態について説明する。
【００４５】
図６および図７は第２の実施形態における電子部品の実装構造を模式的に示した図である。図６はインテリジェントウォッチ１０のディスプレイ１２と透明ガラス１３を側面から見た状態を示す図である。図７はインテリジェントウォッチ１０の透明ガラス１３を取り除いた状態でディスプレイ１２を上から見た状態を示す図である。
【００４６】
上記第１の実施形態では、ＧＰＳアンテナ２４とＬＥＤ２５ａ，２５ｂをディスプレイ１２の表示画面の一端部１２ａの外側に並べて配置した。これに対し、第２の実施形態では、ＧＰＳアンテナ２４をディスプレイ１２の表示画面の一端部１２ａの外側に配置し、ＬＥＤ２５ａ，２５ｂをディスプレイ１２の他端部１２ｂの外側に配置している。
【００４７】
ＧＰＳアンテナ２４は、透明ガラス１３の下でサブ基板２３上に実装される。ＬＥＤ２５ａ，２５ｂは、透明ガラス１３の下でサブ基板２３とは別のサブ基板２８上に実装される。サブ基板２８は、ディスプレイ１２の他端部１２ｂの外側に設けられており、フレキシブルケーブル２９を介してメイン基板２１と電気的に接続されている。
【００４８】
図７に示すように、ディスプレイ１２は、矩形状の表示画面を有する。サブ基板２３上のＧＰＳアンテナ２４は、表示画面の一端部１２ａの中央付近に配置されている。サブ基板２８上のＬＥＤ２５ａ，２５ｂは、表示画面の他端部１２ｂの両側付近に配置されている。
【００４９】
なお、ここでは２つのＬＥＤ２５ａ，２５ｂを配置した例を示しているが、ＬＥＤの個数は特に限定されるものではなく、ディスプレイ１２の外部光源として少なくとも１個配置すれば良い。
【００５０】
透明ガラス１３のＧＰＳアンテナ２４の対向面と、透明ガラス１３のＬＥＤ２５ａ，２５ｂとの対向面には、それぞれに所定幅を有する黒い帯状のマスク部２６ａ，２６ｂが印刷あるいは蒸着により設けられている。図６の例では、矩形状の透明ガラス１３の裏面の一端側にマスク部２６ａ、他端側にマスク部２６ｂが設けられている。マスク部２６ａは、透明ガラス１３の一端側の下にあるＧＰＳアンテナ２４の映り込みを防止する。マスク部２６ｂは、透明ガラス１３の他端側の下にあるＬＥＤ２５ａ，２５ｂの映り込みを防止する。
【００５１】
このように、ＬＥＤ２５ａ，２５ｂをディスプレイ１２の他端側に配置する場合でも、ＧＰＳアンテナ２４と共にディスプレイ１２と同一面上に並べて配置しておく。これにより、ＬＥＤ２５ａ，２５ｂをディスプレイ１２の厚み方向に収めて、筐体１１の薄型化を実現できる。
【００５２】
（第３の実施形態）
次に、第３の実施形態について説明する。
【００５３】
図８および図９は第３の実施形態における電子部品の実装構造を模式的に示した図である。図８はインテリジェントウォッチ１０のディスプレイ１２と透明ガラス１３を側面から見た状態を示す図である。図９はインテリジェントウォッチ１０の透明ガラス１３を取り除いた状態でディスプレイ１２を上から見た状態を示す図である。
【００５４】
第３の実施形態では、４個のＬＥＤ２５ａ，２５ｂ，２５ｃ，２５ｄが用いられている。ＬＥＤ２５ａ，２５ｂは、ＧＰＳアンテナ２４と共に透明ガラス１３の下でサブ基板２３上に実装される。ＬＥＤ２５ｃ，２５ｄは、透明ガラス１３の下でサブ基板２３とは別のサブ基板２８上に実装される。サブ基板２８は、ディスプレイ１２の他端部１２ｂの外側に設けられており、フレキシブルケーブル２９を介してメイン基板２１と電気的に接続されている。
【００５５】
図９に示すように、ディスプレイ１２は、矩形状の表示画面を有する。サブ基板２３上のＧＰＳアンテナ２４とＬＥＤ２５ａ，２５ｂは、この表示画面の一端部１２ａの外側に一列に配置されている。このうち、ＧＰＳアンテナ２４は、表示画面の一端部１２ａの中央付近に配置されている。ＬＥＤ２５ａ，２５ｂは、表示画面の一端部１２ａの両側付近に配置されている。サブ基板２８上のＬＥＤ２５ｃ，２５ｄは、表示画面の他端部１２ｂの両側付近に配置されている。
【００５６】
透明ガラス１３のＧＰＳアンテナ２４とＬＥＤ２５ａ，２５ｂの対向面と、透明ガラス１３のＬＥＤ２５ｃ，２５ｄとの対向面には、それぞれに所定幅を有する黒い帯状のマスク部２６ａ，２６ｂが印刷あるいは蒸着により設けられている。図６の例では、矩形状の透明ガラス１３の裏面の一端側にマスク部２６ａ、他端側にマスク部２６ｂが設けられている。マスク部２６ａは、透明ガラス１３の一端側の下にあるＧＰＳアンテナ２４とＬＥＤ２５ａ，２５ｂの映り込みを防止する。マスク部２６ｂは、透明ガラス１３の他端側の下にあるＬＥＤ２５ｃ，２５ｄの映り込みを防止する。
【００５７】
このように、ＬＥＤ２５ｃ，２５ｄを追加する場合でも、ＧＰＳアンテナ２４と共にディスプレイ１２と同一面上に並べて配置しておく。これにより、ＬＥＤ２５ｃ，２５ｄをディスプレイ１２の厚み方向に収めて、筐体１１の薄型化を実現できる。
【００５８】
（第４の実施形態）
次に、第４の実施形態について説明する。
【００５９】
図１０は第４の実施形態に係る電子機器の外観を示す斜視図である。図１０の例では、円形状のディスプレイを有するインテリジェントウォッチ３０が示されている。
【００６０】
インテリジェントウォッチ３０は、時計本体を構成する金属製の筐体３１を備え、その中に様々な電子部品を内蔵している。筐体３１の上面の一部は円形状に開口され、そこに円形状の表示画面を有するディスプレイ３２が組み込まれている。ディスプレイ３２は、外光の反射によって表示を行う反射型液晶パネルである。ディスプレイ３２の表面画面上には、ディスプレイ３２よりもサイズの大きい円形状の透明ガラス３３が設けられている。透明ガラス３３は、ディスプレイ３２の表示画面を覆うカバー部材として用いられる。
【００６１】
筐体３１の両端には、ユーザの手首にインテリジェントウォッチ３０を装着するためのベルト３４ａ，３４ｂが設けられている。ベルト３４ａの一端は、取り付け部３５ａによって筐体３１の一端に取り付けられている。ベルト３４ｂの一端は、取り付け部３５ｂによって筐体３１の他端に取り付けられている。
【００６２】
筐体３１の一側面には、幾つかの操作ボタンが設けられている。ここでは、３つの操作ボタン３６，３７，３８が筐体３１の右側面に設けられている例が示されている。これらの操作ボタン３６，３７，３８は、表示画面の切り替えなどに用いられる。なお、操作ボタン３７は、時計のリューズであってもよい。
【００６３】
このような構成において、ＧＰＳアンテナ４１とＬＥＤ４２ａ，４２ｂは透明ガラス３３の下に配置される。この場合、ディスプレイ３２の円周部３２ａの外側の任意の位置にディスプレイ３２と同一面上に並ぶようにしてＧＰＳアンテナ４１とＬＥＤ４２ａ，４２ｂが実装される。
【００６４】
透明ガラス３３のＧＰＳアンテナ４１とＬＥＤ４２ａ，４２ｂとの対向面には、所定の幅を有する黒い帯状のマスク部４３が印刷あるいは蒸着により設けられている。図１０の例では、円形状の透明ガラス３３の裏面の円周側にマスク部４３が設けられている。このマスク部４３は、透明ガラス１３の下にあるＧＰＳアンテナ４１とＬＥＤ４２ａ，４２ｂの映り込みを防ぐためのものである。また、このマスク部４３は遮光性を有しており、ＬＥＤ４２ａ，４２ｂの光が透過することを防いでいる。
【００６５】
このように、円形タイプのインテリジェントウォッチ３０であっても、ＧＰＳアンテナ４１を透明ガラス３３の下に実装することで、筐体３１に電波受信用の開口部を設けるなどの加工を必要とせずに、電波を受信することができる。これにより、現在位置の表示や時計時刻の補正を正しく行うことができる。
【００６６】
また、ＧＰＳアンテナ３４とＬＥＤ４２ａ，４２ｂをディスプレイ３２の円周部３２ａの外側に並べて配置することで、ＧＰＳアンテナ２４とＬＥＤ２５ａ，２５ｂを一緒にマスクできる。さらに、ＧＰＳアンテナ２４とＬＥＤ２５ａ，２５ｂをディスプレイ１２の厚み方向に収めることができるので、筐体１１の薄型化を図ることができる。
【００６７】
なお、円形に限らず、例えば三角形、菱形など、様々な形状のインテリジェントウォッチでも同様である。すなわち、ディスプレイの表面画面を覆うガラス部材の下で、ディスプレイと同一面にＧＰＳアンテナとＬＥＤを実装する構造により、筐体に対する加工を必要とせずに電波受信を可能とし、さらに筐体の薄型化を実現できる。
【００６８】
また、ＧＰＳアンテナと共に実装する電子部品はＬＥＤに限らず、例えば加速度センサなどであっても良い。
【００６９】
以上述べた少なくとも１つの実施形態によれば、筐体の加工などを必要とせず、かつ、薄型化を損なわずにＧＰＳアンテナを含む各種電子部品を効率的に実装することのできる電子機器を提供することができる。
【００７０】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１０…インテリジェントウォッチ、１１…筐体、１２…ディスプレイ、１３…透明ガラス、１４ａ，１４ｂ…ベルト、１５ａ，１５ｂ…取り付け部、１６，１７，１８…操作ボタン、２１…メイン基板、２２…接着剤、２３…サブ基板、２４…ＧＰＳアンテナ、２５ａ，２５ｂ，２５ｃ，２５ｄ…ＬＥＤ、２６ａ，２６ｂ…マスク部、２７…フレキシブルケーブル、２８…サブ基板、２９…フレキシブルケーブル、３０…インテリジェントウォッチ、３１…筐体、３２…ディスプレイ、３３…透明ガラス、３４ａ，３４ｂ…ベルト、３５ａ，３５ｂ…取り付け部、３６，３７，３８…操作ボタン、４１…ＧＰＳアンテナ、４２ａ，４２ｂ…ＬＥＤ、４３…マスク部
【図１】
2015224918.tif 000003
【図２】
2015224918.tif 000004
【図３】
2015224918.tif 000005
【図４】
2015224918.tif 000006
【図５】
2015224918.tif 000007
【図６】
2015224918.tif 000008
【図７】
2015224918.tif 000009
【図８】
2015224918.tif 000010
【図９】
2015224918.tif 000011
【図１０】
2015224918.tif 000012